(57)【要約】    【課題】監視態様を警報を発生させない態様にすることが可能な認証用ＩＣタグを有する遊技機用の監視システムにおいて、新規な認証用ＩＣタグの使用を開始する場合に、当該認証用ＩＣタグ内のＩＤ情報を容易に管理用コンピュータに初期登録することを可能とする。    【解決手段】監視システムＳにおいては、店員カード用タグが所定の距離内に配置された場合に無線通信によりその店員カード用タグからＩＤ情報を読み取ることが可能なＩＤ登録用アンテナ２２９が、登録制御装置２２１を介して管理装置３００に接続されている。そして、登録制御装置２２１の入力手段に所定の“パスワード”が入力されることによって店員カード用タグのＩＤ情報がＩＤ登録用アンテナ２２９によって読み取られた場合には、そのＩＤ情報が管理装置３００へと送信され、管理装置３００の記憶手段に記憶されるようになっている。【選択図】  図１
2006000303.tif 000002
【特許請求の範囲】
【請求項１】
互いに近接・離反可能に設けられた２つの部位の内のいずれかに監視用ＩＣタグを設置してなる遊技機と、
監視用アンテナを利用して前記監視用ＩＣタグとの間の無線通信を周期的に繰り返し実行し、その無線通信状態が変化した場合に、第一の検知信号を外部に出力する監視制御装置と、
所定のＩＤ情報を記憶した認証用ＩＣタグと、
その認証用ＩＣタグが所定の距離内に配置された場合に無線通信により認証用ＩＣタグから前記ＩＤ情報を読み取ることが可能な認証用アンテナと、
監視制御手段と信号の送受信が可能であるとともに複数の認証用ＩＣタグのＩＤ情報を予め記憶可能な管理装置とを有しており、
前記認証用ＩＣタグが前記認証用アンテナから所定の距離内に配置されることにより認証用ＩＣタグから読み取られたＩＤ情報が、予め管理装置内に記憶されているＩＤ情報の内のいずれかと一致する場合には、前記監視用アンテナと前記ＩＣタグとの間の無線通信状態が変化した場合であっても、前記監視制御装置が前記第一の検知情報とは異なる第二の検知情報を外部に出力する遊技機用監視システムであって、
前記認証用ＩＣタグが所定の距離内に配置された場合に無線通信により認証用ＩＣタグから前記ＩＤ情報を読み取ることが可能なＩＤ登録用アンテナが、登録制御装置を介して管理装置に接続されており、
認証用ＩＣタグのＩＤ情報がＩＤ登録用アンテナによって読み取られた場合には、そのＩＤ情報が前記管理装置へと送信され、管理装置の記憶手段に記憶されることを特徴とする遊技機用監視システム。
【請求項２】
登録制御装置に所定の許可情報が入力された場合にのみ、認証用ＩＣタグのＩＤ情報が管理装置の記憶手段に記憶されることを特徴とする請求項１に記載の遊技機用監視システム。
【発明の詳細な説明】
【技術分野】
【０００１】
本発明は、パチンコ機等の遊技機に対する不正行為の有無を監視するための監視システムに関するものである。
【背景技術】
【０００２】
遊技機の一種であるパチンコ機においては、作動内容を制御するＲＯＭ等の制御素子を偽造されたものにすり替える不正行為が行われることがある。また、前面に開閉自在に取り付けられたガラス枠を無理矢理開放して遊技盤面上の入賞装置内に多くの遊技球を入賞させる不正行為が行われることもある。
【０００３】
そのような不正行為を防止するために、出願人は、ガラス枠と遊技盤面とにＩＣタグとアンテナとを別々に設置したり、制御基板収納ボックスの分割式収納ケースにＩＣタグとアンテナとを別々に設置したりするとともに、監視制御装置を利用してそれらのＩＣタグとアンテナとの間で無線通信を短時間の周期で繰り返し実行させることによって、制御基板収納ボックスの不正開放の有無を監視する自動監視システムについて提案した（特許文献１）。
【０００４】
さらに、出願人は、そのようなＩＣタグとアンテナとを利用した遊技機の自動監視システムにおいて、パチンコホールの店員がパチンコ機のメンテナンス作業を実行する際に警報の発生を一時的に停止させることを可能とすべく、店員が有するカードに内蔵された認証タグと無線通信可能な認証アンテナをパチンコ機の前面に設置するとともに、認証タグと認証アンテナとの無線通信において、認証タグ内のＩＤ情報が予め管理用コンピュータに記憶されたものと一致する場合には、監視制御装置による監視態様を非報知態様に切り替える技術についても提案した（特願２００３−２７６１６４）。
【０００５】
【特許文献１】特開２００４−６５８０１号公報
【発明の開示】
【発明が解決しようとする課題】
【０００６】
上記したＩＣタグとアンテナにより不正の有無を監視する不正監視システムによれば、不正行為の有無を効率的に監視することができる。また、かかる不正監視システムにおいて、認証用ＩＣタグと無線通信可能な認証アンテナをパチンコ機の前面に設置する技術を導入すれば、効率的な不正監視と容易なメンテナンス作業を同時に実現させることが可能となる。しかしながら、そのような認証用ＩＣタグと無線通信可能な認証アンテナをパチンコ機の前面に設置した不正監視システムにおいては、システムの導入や新規な店員の雇用に際して新規な認証用ＩＣタグの使用を開始する場合に、当該認証用ＩＣタグ内のＩＤ情報を管理用コンピュータに登録する（記憶させる）のは、必ずしも容易なことではない。また、セキュリティの安全性を高めるために、認証用ＩＣタグのＩＤ情報を詳細なものにするほど、そのような初期登録の手間は増大することになる。
【０００７】
本発明の目的は、上記従来の不正監視システムが有する問題点を解消し、システムの導入や新規な店員の雇用に際して新規な認証用ＩＣタグの使用を開始する場合に、当該認証用ＩＣタグ内のＩＤ情報を容易に管理用コンピュータに初期登録することが可能な遊技機用の監視システムを提供することにある。
【課題を解決するための手段】
【０００８】
かかる本発明の内、請求項１に記載された発明の構成は、互いに近接・離反可能に設けられた２つの部位の内のいずれかにＩＣタグを設置してなる遊技機と、監視用アンテナを利用して前記ＩＣタグとの間の無線通信を周期的に繰り返し実行し、その無線通信状態が変化した場合に、異常検知信号を外部に出力する監視制御装置と、所定のＩＤ情報を記憶した認証用ＩＣタグと、その認証用ＩＣタグが所定の距離内に配置された場合に無線通信により認証用ＩＣタグから前記ＩＤ情報を読み取ることが可能な認証用アンテナと、監視制御手段と信号の送受信が可能であるとともに複数の認証用ＩＣタグのＩＤ情報を予め記憶可能な管理装置とを有しており、前記認証用ＩＣタグが前記認証用アンテナから所定の距離内に配置されることにより認証用ＩＣタグから読み取られたＩＤ情報が、予め管理装置内に記憶されているＩＤ情報の内のいずれかと一致する場合には、前記監視用アンテナと前記ＩＣタグとの間の無線通信状態が変化した場合であっても、前記監視制御装置が前記異常検知情報を外部に出力しない遊技機用監視システムであって、前記認証用ＩＣタグが所定の距離内に配置された場合に無線通信により認証用ＩＣタグから前記ＩＤ情報を読み取ることが可能なＩＤ登録用アンテナが、登録制御装置を介して管理装置に接続されており、認証用ＩＣタグのＩＤ情報がＩＤ登録用アンテナによって読み取られた場合には、そのＩＤ情報が前記管理装置へと送信され、管理装置の記憶手段に記憶されることにある。
【０００９】
請求項２に記載された発明の構成は、請求項１に記載された発明において、登録制御装置に所定の許可情報が入力された場合にのみ、認証用ＩＣタグのＩＤ情報が管理装置の記憶手段に記憶されることにある。
【発明の効果】
【００１０】
請求項１に記載された遊技機用監視システムによれば、システムの導入や新規な店員の雇用に際し新規な認証用ＩＣタグの使用を開始する場合に、認証用ＩＣタグ内のＩＤ情報を、非常に容易に管理用コンピュータに登録する（記憶させる）ことができる。
【００１１】
請求項２に記載された遊技機用監視システムによれば、遊技ホールによって管理される正規の認証用ＩＣタグと異なる不正な認証用ＩＣタグのＩＤ情報が管理用コンピュータに登録され、その不正な認証用ＩＣタグによって監視態様が勝手に非報知態様（警報を報知しない態様）に切り替えられてしまう事態を防止することができる。
【発明を実施するための最良の形態】
【００１２】
以下、本発明の一実施形態に係るパチンコ機用の監視システムについて、以下の目次の順序にしたがい、図面に基づいて詳細に説明する。
（１）監視システムの概要
（２）監視システムの構成
（３）監視システムの動作内容
（４）監視システムの効果
（５）監視システムの変更例
【００１３】
（１）監視システムの概要
図１は、本発明の一実施形態に係るパチンコ機用の監視システムを示したものであり、図２は、監視システムＳを導入したパチンコホールの外観を示す説明図である。パチンコホールの各設置台（設置島）２０３，２０３・・には、パチンコ機１，１・・が、背中合わせに２列に並べられて設置されている。また、各設置台２０３，２０３・・には、各パチンコ機１，１・・と隣接した上方に、遊技情報の表示やパチンコホールの店員の呼び出しのための情報表示装置２０１が設置されている。そして、その情報表示装置２０１には、パチンコ機１を監視するための監視制御装置であるＲ／Ｗユニット６６が内蔵されており、パチンコ機１の主制御基板３７と接続された状態になっている。さらに、情報表示装置２０１には、後述する店員カードとＲＦＩＤ通信を実行するための店員カード用アンテナ２０６が内蔵されており、Ｒ／Ｗユニット６６と接続された状態になっている。
【００１４】
また、各Ｒ／Ｗユニット６６，６６・・は、ＬＡＮケーブル等の配線を介して、設置台２０３の端部に設置された表示器４６および警報ランプ４７を有する警報表示器４５、およびパチンコホール全体を管理するホールコンピュータである管理装置３００に接続されている。さらに、管理装置３００には、登録制御装置２２１が接続されており、その登録制御装置２２１には、店員カードの認証用ＩＣタグ（後述する店員カード用タグ）とＲＦＩＤ通信を実行するためのＩＤ登録用アンテナ２２９が接続されている。
【００１５】
かかる監視システムＳにおいては、設置台２０３に設置された各Ｒ／Ｗユニット６６，６６・・が各パチンコ機１，１・・に設置されたＩＣタグ（ガラス枠タグ４０）と監視用アンテナ（ガラス枠アンテナ４１）とを利用して、各パチンコ機１，１・・のガラス枠４の不正開放の有無を監視する。また、パチンコホールの店員が、情報表示装置２０１の所定の部位に店員カードを挿入し、内蔵された店員カード用アンテナ２０６と近接させることによって、ガラス枠タグ４０とガラス枠アンテナ４１とによる監視状態を非報知態様（後述する「認証状態」）に切り替えて、パチンコ機１のメンテナンス作業を実行する際の警報の発生を停止させるとともに、そのメンテナンス作業の間において後述する「作業履歴情報」を管理する。さらに、登録制御装置２２１に所定の“パスワード”を入力するとともに、ＩＤ登録用アンテナ２２９に未使用の店員カードを近接させることにより、その店員カードの認証用ＩＣタグ（後述する店員カード用タグ）内に記憶されたＩＤ情報を管理装置３００に初期登録することができる。
【００１６】
（２）監視システムの構成
ａ．パチンコ機の構成
図３〜図５は、パチンコ機１を示したものである。パチンコ機１は、その周囲を機枠２によって支持されており、機枠２の前面には、金属板を折り曲げ形成したミドル枠１０が、左端縁を軸として着脱自在に蝶着されている。そして、ミドル枠１０の前面上側には、略正方形の遊技盤９が設けられているとともに、その遊技盤９を覆うようにガラス枠４が左端縁を軸として着脱自在に蝶着されている。なお、ガラス枠４の中央には、ガラス板が嵌め込まれている。
【００１７】
また、遊技盤９の盤面には、液晶画面に種々の動画やメッセージ等を表示可能な図柄表示装置１４が設けられている。また、図柄表示装置１４の下側には、図柄始動口１６が設けられており、その図柄始動口１６の下側には、扉部材６１を開閉させる大入賞装置１７が設けられている。加えて、遊技盤９の盤面には、遊技球の落下に変化をもたせるための多数の障害釘や、風車等の遊技部材が設けられている。
【００１８】
さらに、ガラス枠４の開放側の裏面には、ガラス枠タグ４０が固着されており、遊技盤９の右上方であってガラス枠４を閉じた際にガラス枠タグ４０と対峙する部位には、ガラス枠タグ４０との間でＲＦ送受信を行うガラス枠アンテナ４１が固着されている。
【００１９】
ガラス枠タグ４０は、ＣＥＭ３等のガラスコンポジット基板上に、ＲＦ回路、記憶手段（ＥＥＰＲＯＭ等）、および送受信回路等を設けたものであり、記憶手段の上書消去禁止区域には、ガラス枠タグ４０を他のＩＣタグと識別するための識別情報が記憶されている。
【００２０】
一方、ガラス枠アンテナ４１は、ＣＥＭ３等のガラスコンポジットで形成された薄い板状の基板の表面に送受信回路を渦巻き状に形成したものであり、その送受信回路の両端縁の端子に、ケーブル３０が接続されている。かかるガラス枠アンテナ４１は、ケーブルを介して、情報表示装置２０１内のＲ／Ｗユニット６６に接続されている。
【００２１】
ガラス枠タグ４０は、ガラス枠アンテナ４１との間で、所定の周波数（たとえば、１３．５６ＭＨｚ）を利用して、ＲＦ（Radio Frequency）送受信を行うことが可能であり、呼出波を受信すると、予め記憶されている識別情報を含む反射波を、所定の通信範囲（約３ｍｍ）内に出力（返信）するように設定されている。
【００２２】
一方、図５の如く、パチンコ機１の裏面には、合成樹脂製の機構板３６が設けられており、その機構板３６には、作動内容を制御するための主制御基板３７を収納した主制御基板ボックス３８、賞品球や貸球を払い出すための遊技球払出装置６３等が設置されている。
【００２３】
ｂ．情報表示装置の構成
図６、図７は、各パチンコ機１，１・・の上方に設置された情報表示装置２０１を示したものであり、情報表示装置２０１は、合成樹脂によって形成された表カバー５４および裏カバー５５の内部に、発光体１０２，１０２・・、ＬＣＤユニット５２、Ｒ／Ｗユニット６６、店員カード用アンテナ２０６等を設置したものである。
【００２４】
情報表示装置２０１の表カバー５４の前面右側には、店員カードを挿入するための店員カード挿入部８８が、扁平な孔状に設けられている。また、店員カード挿入部８８の下側には、店員カード用アンテナ２０６が内蔵されており、店員カード挿入部８８内に店員カード（後述する）が挿入されると、その店員カードが店員カード用アンテナ２０６と近接するようになっている。なお、店員カード用アンテナ２０６は、パチンコ機１に設けられたガラス枠アンテナ４１と同様に、基板の表面に送受信回路を渦巻き状に形成したものである。また、店員カード用アンテナ２０６は、ケーブルによってＲ／Ｗユニット６６と接続されている。
【００２５】
ｃ．Ｒ／Ｗユニットの構成
図８は、Ｒ／Ｗユニット６６の制御機構を示したものである。Ｒ／Ｗユニット６６は、ＣＰＵ６８、ＲＡＭ６９、ＲＯＭ７０、ＥＥＰＲＯＭ７１、タイマ７２、パチンコ機１に設置されたガラス枠タグ４０とガラス枠アンテナ４１との間でのＲＦ送受信を実行させるためのＲＦ回路７３等を有している。そして、ＲＦ回路７３が、パチンコ機１に設置されたガラス枠アンテナ４１のケーブルと接続された状態になっている。なお、ＥＥＰＲＯＭ７１には、パチンコ機１のガラス枠タグ４０に登録されている識別情報が予め記憶されている。
【００２６】
ｄ．店員カードの構成
図９は、店員カード用アンテナ２０６とＲＦ送受信を行うための店員カードの制御機構を示すブロック図である。店員カード２４９は、合成樹脂製のカードに認証用ＩＣタグである店員カード用タグ２５０を埋め込んだものである。店員カード用タグ２５０は、パチンコ機１に設置されたガラス枠タグ４０と同様に構成されており、送受信回路２５２と、ＲＦ回路２６７およびＥＥＰＲＯＭ等の記憶手段２６６を内蔵したＩＣチップ２５３とを有している。そして、記憶手段２６６内には、各店員カードに固有のＩＤである「店員カードタグＩＤ」が記憶されている。
【００２７】
ｅ．管理装置の構成
また、図１０は、管理装置３００を示したものである。管理装置３００は、ＣＰＵ２９２、ＲＡＭ，ＲＯＭ，ＥＥＰＲＯＭ等からなる記憶手段２９１、タイマ２９７、警告ランプ２９５、表示器２９６、通信回路２９４、Ｉ／Ｏインタフェイス２９３等を有している。そして、ＣＰＵ２９２が、Ｉ／Ｏインタフェイス２９３を介して警告ランプ２９５および表示器２９６と接続された状態になっている。また、ＣＰＵ２９２が、Ｉ／Ｏインタフェイス２９３を介して通信回路２９４と接続されており、その通信回路２９４が、ケーブルによって、外部の警報表示器４５，４５・・および登録制御装置２２１と接続されている。また、記憶手段内２９１には、図１１の如く、各店員カード２４９の「店員カードタグＩＤ」がパチンコホールの店員名と対応付けられた状態で記憶されている。すなわち、パチンコホールの“○○一郎”店員が保持すべきＮＯ．１の店員カード２４９の「店員カードタグＩＤ」としては、“４８５２・・・７９ＡＸ”が記憶されており、パチンコホールの“△△二郎”店員が保持すべきＮＯ．２の店員カード２４９の「店員カードタグＩＤ」としては、“６９５７・・・３１ＨＹ”が記憶されている。
【００２８】
ｆ．登録制御装置およびＩＤ登録用アンテナの構成
図１２は、登録制御装置２２１の制御機構を示したものである。登録制御装置２２１は、ＣＰＵ２２２、ＲＡＭ２２４、ＲＯＭ２２３、ＥＥＰＲＯＭ２２７、タイマ２２８、店員カードに内蔵された店員カードタグ２５０とＩＤ登録用アンテナ２２９との間でのＲＦ送受信を実行させるためのＲＦ回路２２５、テンキーからなる入力手段２２０、Ｉ／Ｏインタフェイス２２６、表示手段２１９等を有している。また、ＲＦ回路２２５が、ケーブルによって、ＩＤ登録用アンテナ２２９と接続されている。なお、ＩＤ登録用アンテナ２２９の構造は、パチンコ機１に設けられたガラス枠アンテナや店員用アンテナと同様であり、基板の表面に送受信回路を渦巻き状に形成したものである。
【００２９】
（３）監視システムの動作内容
ａ．パチンコ機の作動内容
パチンコ機１は、主制御基板３７に記憶されたプログラムにしたがって、主たる遊技動作を実行する。そして、所定の条件が充足された場合（たとえば、図柄始動口１６へ遊技球が入賞した場合）には、主制御基板３７において「抽選」を実行し、その「抽選」において「大当たり」となった場合には、予め設定された「大当たり図柄」を図柄表示装置１４に表示するとともに、「大当たり状態」を生起させて、大入賞装置１７の扉部材６１を所定回数だけ断続的に開放させる。また、扉部材６１の内部の大入賞口や各種の入賞装置に遊技球が入賞した場合には、その入賞を入賞装置内部のセンサ（図示せず）によって検知し、遊技球払出装置６３の作動によって所定数の遊技球を賞品球として供給皿６に払い出す。
【００３０】
ｂ．不正行為の監視動作
各情報表示装置２０１，２０１・・に内蔵されたＲ／Ｗユニット６６は、パチンコ機１に設置されたガラス枠タグ４０とガラス枠アンテナ４１との間におけるＲＦ送受信を利用して、パチンコ機１においてガラス枠４の不正開放が行われたか否かの監視動作を実行する。すなわち、Ｒ／Ｗユニット６６が、ガラス枠アンテナ４１を介して、ガラス枠タグ４０へ呼出波を送信すると、ガラス枠タグ４０は、直ちに、記憶された「識別情報」を含めた反射波を返信する。Ｒ／Ｗユニット６６は、ガラス枠アンテナ４１によって、その反射波を受信すると、ガラス枠タグ４０からの反射波に含まれる「識別情報」が、ＥＥＰＲＯＭ７１に予め記憶されているものと一致するか否かを判断し、記憶されたものと同一であると確認した場合（正常であると判断した場合）には、再度、直ちに呼出波を送信する。しかしながら、呼出波を送信してから所定時間（たとえば、５０ｍｓ）内に反射波を受信しなかった場合や、ガラス枠タグ４０からの反射波に含まれる「識別情報」が、予めＥＥＰＲＯＭ７１に登録されているものと一致しなかった場合には、異常な状態であると判断し、反射波を受信した時刻等を「異常検知情報」としてＥＥＰＲＯＭ７１に記憶するとともに、「異常信号」を外部へ出力する。
【００３１】
そして、Ｒ／Ｗユニット６６は、上記の如き監視動作を、短時間（約数十ｍｓ）の周期で２４時間繰り返し実行する。なお、ガラス枠タグ４０とガラス枠アンテナ４１とは、間隔が約３ｍｍ以内となっている場合にのみＲＦ送受信ができるように設定されている。したがって、ほんの少しの時間、わずかにガラス枠４が開放されたとしても、その不正行為を検知することができる。
【００３２】
警報表示器４５は、Ｒ／Ｗユニット６６が出力した「異常信号」を受信すると、表示器４６に所定のメッセージを表示するとともに、警報ランプ４７を所定の態様で発光させる。かかる警報ランプ４７の発光によって、パチンコホールの店員の注意が促されることになる。また、警報表示器４５は、Ｒ／Ｗユニット６６が出力した「異常信号」を受信すると、管理装置３００へ「異常信号」を送信する。管理装置３００は、警報表示器４５から送信された「異常信号」を受信すると、その受信時刻や発信元の「識別記号」（パチンコ機１の機台番号）を、「異常検知情報」として表示装置（図示せず）に表示する。なお、このような通常の状態におけるＲ／Ｗユニット６６、警報表示器４５、および管理装置３００によるパチンコ機１の監視態様を「通常モード」という。
【００３３】
ｃ．店員作業時における認証および作業履歴管理動作
店員カード２４９が店員カード挿入部８８に挿入されると、店員カード用アンテナ２０６と店員カード用タグ２５０との間のＲＦ送受信が可能となる。そして、Ｒ／Ｗユニット６６のＣＰＵ６８の指令により、店員カード用アンテナ２０６から呼出波を送信すると、その呼出波を受信した店員カード用タグ２５０は、その店員カード２４９に固有の「店員カードタグＩＤ」を含む射波波を店員カード用アンテナ２０６に送信する（なお、店員カード用アンテナ２０６は、Ｒ／Ｗユニット６６のＣＰＵ６８の指令により、常に呼出波を送信している）。送信された反射波は、店員カード用アンテナ２０６からＲ／Ｗユニット６６へ伝達される。
【００３４】
Ｒ／Ｗユニット６６は、管理装置３００と同様に、店員カード２４９の店員カード用タグ２５０に記憶された「店員カードタグＩＤ」を、有効なすべての店員カード２４９の番号別に、ＲＡＭ６９内に記憶している（図１１参照）。なお、かかる「店員カードタグＩＤ」は、毎日の監視システムＳの始動時に、管理装置３００の記憶手段２９１内から呼び出されて、各Ｒ／Ｗユニット６６，６６へ送信される。店員カード用タグ２５０からの反射波を受信したＲ／Ｗユニット６６は、その反射波に含められた「店員カードタグＩＤ」が、ＲＡＭ６９内に記憶されたものであるかどうかを判断する。
【００３５】
そして、Ｒ／Ｗユニット６６は、店員カード用タグ２５０から受信した反射波に含められた「店員カードタグＩＤ」がＥＥＰＲＯＭ７１内に記憶されたものであると判断した場合には、それ以降にパチンコ機１のガラス枠タグ４０とガラス枠アンテナ４１とが送受信不能になったとしても、警報表示器４５および管理装置３００へ「異常信号」を送信しないように制御する。そのように制御することによって、パチンコホールの店員がメンテナンス作業のため等にパチンコ機１の主制御基板ボックス３８を開放した場合に、警報表示器４５および管理装置３００へ「異常信号」が送信される事態が回避される。
【００３６】
また、Ｒ／Ｗユニット６６は、店員カード用タグ２５０から送信された反射波に含められた「店員カードタグＩＤ」がＥＥＰＲＯＭ７１内に記憶されたものであると判断した場合には、その反射波を受信した時刻および「店員カードタグＩＤ」を、「アクセス履歴情報」としてＥＥＰＲＯＭ７１に記憶する。かかる動作によって、何時にどの店員カードによって「店員カードタグＩＤ」の照合があったかを把握することが可能となる。なお、このような「店員カードタグＩＤ」の照合があった場合におけるＲ／Ｗユニット６６、警報表示器４５、および管理装置３００によるパチンコ機１の監視態様を「認証モード」という。
【００３７】
さらに、Ｒ／Ｗユニット６６は、監視態様を「認証モード」に切り替えた後、パチンコ機１のガラス枠タグ４０とガラス枠アンテナ４１との送受信が切断された場合には、その切断された時刻を、認証された「店員カードタグＩＤ」と対応させて「作業履歴情報」としてＥＥＰＲＯＭ７１に記憶するとともに、その「作業履歴情報」を管理装置３００へ送信する。Ｒ／Ｗユニット６６から「作業履歴情報」を受信した管理装置３００は、それらの「作業履歴情報」を、パチンコ機１の機台別に、記憶手段２９１内に記憶させる。
【００３８】
なお、監視モードを「認証モード」に切り替えた後、パチンコ機のガラス枠タグ４０とガラス枠アンテナ４１との送受信が復旧した場合（所定の時間だけ継続して正常な送受信が行われた場合）には、再び監視態様を「通常モード」に切り替えて、それ以降、パチンコ機１のガラス枠タグ４０とガラス枠アンテナ４１とが送受信不能になった場合に警報表示器４５および管理装置３００へ「異常信号」を送信するように制御する。
【００３９】
ｄ．ＩＤ情報の初期登録
新規な店員カード２４９を使用する場合（たとえば、新規な店員に未使用の店員カード２４９を携帯させたい場合等）には、登録制御装置２２１およびＩＤ登録用アンテナ２２９を利用して、その店員カード２４９の店員カード用タグ２５０に記憶されている識別情報（すなわち、「店員カードタグＩＤ」）を、管理装置３００に登録する必要がある。
【００４０】
「店員カードタグＩＤ」を管理装置３００に登録したい場合には、登録制御装置２２１の入力手段２２０のテンキーを利用して“パスワード”を入力する。“パスワード”が入力されると、登録制御装置２２１のＣＰＵ２２２は、その“パスワード“が、ＥＥＰＲＯＭ２２７内に記憶されたものであるかどうかを判断する。そして、その“パスワード”がＥＥＰＲＯＭ２２７内に記憶されたものであると判断した場合には、表示手段２１９に、“パスワード”が一致した旨の表示をする。さらに、新規な店員カード２４９をＩＤ登録用アンテナ２２９に近接させるとともに、入力手段２２０を利用して登録すべき店員（新規な店員カード２４９を所持する店員）の氏名を入力させるように促す旨のメッセージを表示する。
【００４１】
しかる後に、タイマ２２８およびＣＰＵ２２２の機能によって、管理装置３００との信号の送受信を行い、管理装置３００の記憶手段２９１を所定時間だけ有効化する。そして、その所定時間内に、ＩＤ登録用アンテナ２２９に、新規な店員カード２４９が近接すると、ＩＤ登録用アンテナ２２９が店員カード用タグ２５０へ呼出波を送信し、店員カード用タグ２５０から「店員カードタグＩＤ」を含む射波波を受信する（なお、ＩＤ登録用アンテナ２２９は、ＣＰＵ２２２の指令により、常に呼出波を送信している）。また、上述した所定時間内に、入力手段２２０により登録すべき店員の氏名が入力されると、登録制御装置２２１は、直ちに、受信した反射波に含まれる「店員カードタグＩＤ」を入力された「氏名」とともに、「登録情報」として管理装置３００へと送信する。
【００４２】
管理装置３００は、「登録情報」を受信すると、その「登録情報」に含まれた「店員カードタグＩＤ」を「氏名」と対応付けて記憶手段内２９１に記憶する（図１１参照）。したがって、管理システムＳにおいては、管理装置３００へ「店員カードタグＩＤ」を初期登録する際に、新規な店員カード２４９を所持する店員の氏名のみを入力するだけで、新規な店員カード２４９の「店員カードタグＩＤ」が店員名と対応付けられた状態で記憶されるので、その「店員カードタグＩＤ」を構成するアルファベットや数字等を、いちいちマニュアル入力する必要がない。
【００４３】
（４）監視システムの効果
監視システムＳは、上記の如く、店員カード用タグ２５０が所定の距離内に配置された場合に無線通信によりその店員カード用タグ２５０から「店員カードタグＩＤ」を読み取ることが可能なＩＤ登録用アンテナ２２９が、登録制御装置２２１を介して管理装置３００に接続されており、店員カード用タグ２５０のＩＤ情報（すなわち、「店員カードタグＩＤ」）がＩＤ登録用アンテナ２２９によって読み取られた場合には、そのＩＤ情報が管理装置３００へと送信され、管理装置３００の記憶手段２９１に記憶されるようになっている。したがって、監視システムＳによれば、システムの導入や新規な店員の雇用に際して新規な店員カード２４９の使用を開始する場合に、店員カード２４９の店員カード用タグ２５０内のＩＤ情報を、非常に容易に管理装置３００に登録する（記憶させる）ことができる。
【００４４】
また、監視システムＳは、登録制御装置２２１に所定のパスワードが入力された場合にのみ、店員カード用タグ２５０の「店員カードタグＩＤ」が管理装置３００の記憶手段に記憶されるようにになっている。したがって、監視システムＳによれば、パチンコホールによって管理される正規の店員カード２４９と異なる不正な店員カードのＩＤ情報が管理装置３００に登録され、その不正な店員カードによって監視態様が勝手に「通常モード」から「認証モード」に切り替えられてしまう事態を防止することができる。
【００４５】
（５）実施例の監視システムの変更例
なお、本発明の監視システムの構成は、上記実施形態の態様に何ら限定されるものではなく、遊技機、Ｒ／Ｗユニット、店員カード用アンテナ、店員カード用タグ（認証用ＩＣタグ）、ＩＣタグ、アンテナ（監視用アンテナ）、情報表示装置、警報表示器、管理装置、登録制御装置、ＩＤ登録用アンテナ等の形状・構造等の構成を、本発明の趣旨を逸脱しない範囲で、必要に応じて適宜変更することができる。
【００４６】
たとえば、監視システムは、パチンコ機の前面に開閉自在に取り付けられたガラス枠にＩＣタグとアンテナとを設けたものに限定されず、パチンコ機の周囲を覆う機枠や、パチンコ機の主制御基板ボックスの収納ケース、あるいは大入賞装置の扉部材等の部位にＩＣタグと監視用アンテナとを設けたものでも良い。また、監視システムは、異常検知情報、アクセス履歴情報や作業履歴情報等の監視履歴情報を監視制御装置が警報表示器や管理装置に送信するものに限定されず、インターネット等の回線を通じてパチンコホールの外部に監視履歴情報を送信するもの等でも良い。
【００４７】
一方、監視システムは、パチンコ機の主制御基板と監視制御装置と警報表示器と管理装置とを有線によって接続したものに限定されず、それらの装置を無線によって接続したものに変更することも可能である。さらに、監視システムは、監視制御装置を介してパチンコ機の主制御基板と警報表示器あるいは管理装置とを接続したものに限定されず、パチンコ機の主制御基板を直接に警報表示器あるいは管理装置と接続したものに変更することも可能である。加えて、監視システムは、必ずしも警報表示器を有するものに限定されず、パチンコ機の主制御基板、監視制御装置、および管理装置のみを接続したものでも良い。
【００４８】
また、監視システムは、登録制御装置に許可情報として所定のパスワードが入力された場合にのみ、認証用ＩＣタグのＩＤ情報が管理装置の記憶手段に記憶されるものに限定されず、ホール管理者が保有する特定の認証用ＩＣタグ内のＩＤがＩＤ登録用アンテナによって照合された場合にのみ、認証用ＩＣタグのＩＤ情報が管理装置の記憶手段に記憶されるもの等に変更することも可能である。加えて、監視システムは、許可情報として予め登録された指紋等の画像情報が入力された場合にのみ、認証用ＩＣタグのＩＤ情報が管理装置の記憶手段に記憶されるもの（すなわち、指紋等の照合結果により、ＩＤ登録用アンテナが認証用ＩＣタグと無線通信可能となるもの）に変更することも可能である。さらに、監視システムは、登録制御装置に許可情報が入力された場合にのみ、認証用ＩＣタグとＩＤ登録用アンテナとが無線通信可能となるものに変更することも可能である。
【００４９】
一方、監視システムは、登録制御装置に入力手段を設けたものに限定されず、管理装置に設けられた入力手段を利用して登録制御装置への許可情報の入力が可能なものに変更することも可能である。加えて、監視システムは、登録制御装置に設けられた入力手段によって店員の氏名等の属性情報を入力するものに限定されず、そのような属性情報を管理装置へ直接入力することができるものでも良い。
【００５０】
なお、本発明の監視システムは、上記実施形態の如くパチンコ機を監視するものに限定されず、スロットマシーン、スロットマシーン型パチンコ機等の他の遊技機を監視するものに変更することも可能である。
【産業上の利用可能性】
【００５１】
本発明の遊技機用監視システムは、各種の遊技機用の監視システムとして好適に用いることができる。
【図面の簡単な説明】
【００５２】
【図１】監視システムを示すブロック図である。
【図２】監視システムを導入したパチンコホールの外観を示す説明図である。
【図３】パチンコ機の正面図である。
【図４】ガラス枠を開放したパチンコ機の前方斜視図である。
【図５】パチンコ機の背面図である。
【図６】情報表示装置の斜視図である。
【図７】情報表示装置の背面図である。
【図８】Ｒ／Ｗユニットの制御機構を示すブロック図である。
【図９】店員カードの制御機構を示すブロック図である。
【図１０】管理装置の制御機構を示すブロック図である。
【図１１】管理装置に「店員カードタグＩＤ」が記憶されている状態を示す説明図である。
【図１２】登録制御装置の制御機構を示すブロック図である。
【符号の説明】
【００５３】
１・・パチンコ機、４０・・ガラス枠タグ、４１・・ガラス枠アンテナ、６６・・Ｒ／Ｗユニット（監視制御装置）、２０６・・店員カード用アンテナ、２２１・・登録制御装置、２２９・・ＩＤ登録用アンテナ、２５０・・店員カード用タグ（認証用ＩＣタグ）、２９１・・記憶手段、３００・・管理装置、Ｓ・・監視システム、
【図１】
2006000303.tif 000003
【図２】
2006000303.tif 000004
【図３】
2006000303.tif 000005
【図４】
2006000303.tif 000006
【図５】
2006000303.tif 000007
【図６】
2006000303.tif 000008
【図７】
2006000303.tif 000009
【図８】
2006000303.tif 000010
【図９】
2006000303.tif 000011
【図１０】
2006000303.tif 000012
【図１１】
2006000303.tif 000013
【図１２】
2006000303.tif 000014